(57)【要約】【課題】  保険等に加入した者が、給付者の提供する保険等を利用する際に、その受給資格の確認及びクレジットカードによる決済処理を行う決済システムに関する。【解決手段】  決済端末は所定の電文を中継センタシステムに送信し、中継センタシステムは電文の仕向先を特定して電文を送信し、給付者センタシステムは、利用者の保険等の有効性を確認する保険等有効性確認手段と、仮給付額を算出する仮給付額算出手段と、仮給付額と利用者の給付枠の残額とに基づいて給付額を確定する給付額確定手段と、利用者の新たな給付枠の残額を確定する給付枠算出手段と、確定した給付額以外の金額をクレジットカード決済の金額として、クレジットカードの決済処理の電文を作成してクレジットセンタシステムに送信するクレジット処理要求手段と、を有しており、クレジットセンタシステムは、カード有効性確認手段と、クレジット決済処理手段と、を有する決済システムである。【選択図】  図１
2007148668.tif 000002
【特許請求の範囲】
【請求項１】
決済媒体を読み取る決済端末と中継センタシステムと給付者センタシステムとクレジットセンタシステムとを有する決済システムであって、
前記決済端末は、
前記決済媒体に記憶された識別情報を読み取り、前記保険等の受給資格の確認及びクレジットカード決済の処理を行うための電文を前記中継センタシステムに送信し、
前記中継センタシステムは、
前記決済端末から受信した電文の仕向先を特定し、特定した仕向先に対して前記電文を送信し、
前記給付者センタシステムは、
利用者の保険等の有効性を確認する保険等有効性確認手段と、
仮給付額を算出する仮給付額算出手段と、
前記算出した仮給付額と前記利用者の給付枠の残額とに基づいて給付額を確定する給付額確定手段と、
前記確定した給付額に基づいて前記利用者の新たな給付枠の残額を確定する給付枠算出手段と、
前記確定した給付額以外の金額をクレジットカード決済の金額として、前記クレジットカードの決済処理の電文を設定して前記クレジットセンタシステムに送信するクレジット処理要求手段、を有しており、
前記クレジットセンタシステムは、
前記利用者のクレジットカードの有効性を確認するカード有効性確認手段と、
前記クレジットカード決済の金額に対してクレジットカードの決済処理を行うクレジット決済処理手段と、を有する、
ことを特徴とする決済システム。
【請求項２】
決済媒体を読み取る決済端末と中継センタシステムと給付者センタシステムとクレジットセンタシステムとを有する決済システムであって、
前記決済端末は、
前記決済媒体に記憶された識別情報である保険等の契約者番号を読み取り、商品コード、総額の入力を受け付け、前記保険等の受給資格の確認及びクレジットカード決済の処理を行う為の前記識別情報、商品コード、総額を含む電文を前記中継センタシステムに送信し、
前記中継センタシステムは、
前記決済端末から受信した電文の仕向先を特定し、特定した仕向先に対して前記電文を送信し、
前記給付者センタシステムは、
前記保険等の契約者番号に対応するクレジットカード番号を抽出する情報抽出手段と、
前記識別情報に基づいて前記保険等の有効性を確認する保険等有効性確認手段と、
前記電文に於ける給付条件、総額の情報に基づいて、仮給付額を算出する仮給付額算出手段と、
前記利用者に対する給付枠の残額が前記算出した仮給付額以上の場合には前記仮給付額を給付額として確定し、前記利用者に対する給付枠の残額が前記算出した仮給付額より少ない場合には前記給付枠の残額を給付額として確定する給付額確定手段と、
前記確定した給付額に基づいて前記利用者に対する給付枠の残額を算出して、新たな給付枠の残額とする給付枠算出手段と、
前記電文に於ける総額から前記確定した給付額以外の金額をクレジットカード決済の金額として確定し、前記抽出したクレジットカード番号と前記クレジットカード決済の金額とを含むクレジットカード決済の電文を設定して、前記クレジットセンタシステムに送信するクレジット処理要求手段と、を有しており、
前記クレジットセンタシステムは、
前記給付者センタシステムから受信した電文に於けるクレジットカード番号に基づいて有効性の確認を行うカード有効性確認手段と、
前記受信した電文に於けるクレジットカード決済の金額をクレジットカードの決済処理をするクレジット決済処理手段と、を有する、
ことを特徴とする決済システム。
【請求項３】
決済媒体を読み取る決済端末と中継センタシステムと給付者センタシステムとクレジットセンタシステムとを有する決済システムであって、
前記決済端末は、
前記決済媒体に記憶された識別情報であるクレジットカード番号を読み取り、商品コード、総額の入力を受け付け、前記保険等の受給資格の確認及びクレジットカード決済の処理を行う為の前記識別情報、商品コード、総額を含む電文を前記中継センタシステムに送信し、
前記中継センタシステムは、
前記決済端末から受信した電文の仕向先を特定し、特定した仕向先に対して前記電文を送信し、
前記給付者センタシステムは、
前記クレジットカード番号に対応する保険等の契約者番号を抽出する情報抽出手段と、
前記契約者番号に基づいて前記保険等の有効性を確認する保険等有効性確認手段と、
前記電文に於ける給付条件、総額の情報に基づいて、仮給付額を算出する仮給付額算出手段と、
前記利用者に対する給付枠の残額が前記算出した仮給付額以上の場合には前記仮給付額を給付額として確定し、前記利用者に対する給付枠の残額が前記算出した仮給付額より少ない場合には前記給付枠の残額を給付額として確定する給付額確定手段と、
前記確定した給付額に基づいて前記利用者に対する給付枠の残額を算出して、新たな給付枠の残額とする給付枠算出手段と、
前記電文に於ける総額から前記確定した給付額以外の金額をクレジットカード決済の金額として確定し、前記電文に於けるクレジットカード番号と前記クレジットカード決済の金額とを含むクレジットカード決済の電文を設定して、前記クレジットセンタシステムに送信するクレジット処理要求手段と、を有しており、
前記クレジットセンタシステムは、
前記給付者センタシステムから受信した電文に於けるクレジットカード番号に基づいて有効性の確認を行うカード有効性確認手段と、
前記受信した電文に於けるクレジットカード決済の金額をクレジットカードの決済処理をするクレジット決済処理手段と、を有する、
ことを特徴とする決済システム。
【請求項４】
決済媒体を読み取る決済端末と中継センタシステムと給付者センタシステムとクレジットセンタシステムとを有する決済システムであって、
前記決済端末は、
前記決済媒体に記憶された識別情報である任意の文字数字記号列を読み取り、商品コード、総額の入力を受け付け、前記保険等の受給資格の確認及びクレジットカード決済の処理を行う為の前記識別情報、商品コード、総額を含む電文を前記中継センタシステムに送信し、
前記中継センタシステムは、
前記決済端末から受信した電文の仕向先を特定し、特定した仕向先に対して前記電文を送信し、
前記給付者センタシステムは、
前記任意の文字数字記号列に対応するクレジットカード番号と保険等の契約者番号を抽出する情報抽出手段と、
前記抽出した契約者番号に基づいて前記保険等の有効性を確認する保険等有効性確認手段と、
前記電文に於ける給付条件、総額の情報に基づいて、仮給付額を算出する仮給付額算出手段と、
前記利用者に対する給付枠の残額が前記算出した仮給付額以上の場合には前記仮給付額を給付額として確定し、前記利用者に対する給付枠の残額が前記算出した仮給付額より少ない場合には前記給付枠の残額を給付額として確定する給付額確定手段と、
前記確定した給付額に基づいて前記利用者に対する給付枠の残額を算出して、新たな給付枠の残額とする給付枠算出手段と、
前記電文に於ける総額から前記確定した給付額以外の金額をクレジットカード決済の金額として確定し、前記抽出したクレジットカード番号と前記クレジットカード決済の金額とを含むクレジットカード決済の電文を設定して、前記クレジットセンタシステムに送信するクレジット処理要求手段と、を有しており、
前記クレジットセンタシステムは、
前記給付者センタシステムから受信した電文に於けるクレジットカード番号に基づいて有効性の確認を行うカード有効性確認手段と、
前記受信した電文に於けるクレジットカード決済の金額をクレジットカードの決済処理をするクレジット決済処理手段と、を有する、
ことを特徴とする決済システム。
【請求項５】
決済媒体を読み取る決済端末と中継センタシステムと給付者センタシステムとクレジットセンタシステムとを有する決済システムであって、
前記決済端末は、
前記決済媒体に記憶された識別情報に含まれるクレジットカード番号と保険等の契約者番号とを読み取り、商品コード、総額の入力を受け付け、前記保険等の受給資格の確認及びクレジットカード決済の処理を行う為の前記識別情報、商品コード、総額を含む電文を前記中継センタシステムに送信し、
前記中継センタシステムは、
前記決済端末から受信した電文の仕向先を特定し、特定した仕向先に対して前記電文を送信し、
前記給付者センタシステムは、
前記識別情報における保険等の契約者番号に基づいて前記保険等の有効性を確認する保険等有効性確認手段と、
前記電文に於ける給付条件、総額の情報に基づいて、仮給付額を算出する仮給付額算出手段と、
前記利用者に対する給付枠の残額が前記算出した仮給付額以上の場合には前記仮給付額を給付額として確定し、前記利用者に対する給付枠の残額が前記算出した仮給付額より少ない場合には前記給付枠の残額を給付額として確定する給付額確定手段と、
前記確定した給付額に基づいて前記利用者に対する給付枠の残額を算出して、新たな給付枠の残額とする給付枠算出手段と、
前記電文に於ける総額から前記確定した給付額以外の金額をクレジットカード決済の金額として確定し、前記識別情報におけるクレジットカード番号と前記クレジットカード決済の金額とを含むクレジットカード決済の電文を設定して、前記クレジットセンタシステムに送信するクレジット処理要求手段と、を有しており、
前記クレジットセンタシステムは、
前記給付者センタシステムから受信した電文に於けるクレジットカード番号に基づいて有効性の確認を行うカード有効性確認手段と、
前記受信した電文に於けるクレジットカード決済の金額をクレジットカードの決済処理をするクレジット決済処理手段と、を有する、
ことを特徴とする決済システム。
【請求項６】
前記決済システムは、更に事後処理手段を有しており、
前記クレジット処理要求手段は、
前記確定したクレジットカード決済の金額と予め定められた金額とを比較し、前記クレジットカード決済の金額が前記予め定められた金額以下の場合には、クレジットカード決済の事後処理を行うための情報を前記事後処理手段に渡し、
前記クレジットカード決済の金額が前記予め定められた金額より大きい場合には、クレジットカード決済の電文を設定して前記クレジットセンタシステムに送信し、
前記事後処理手段は、
前記給付者センタシステムに於ける処理結果の電文を作成して、前記中継センタシステムを介して前記決済端末に該電文を送信し、所定のタイミングで、前記クレジット処理要求手段から受け取った情報に基づいて、クレジットカード決済の電文を作成し、前記クレジットセンタシステムに該電文を送信することで事後的にクレジットカード決済を行わせる、
ことを特徴とする請求項１から請求項５のいずれかに記載の決済システム。
【請求項７】
前記クレジット処理要求手段は、
前記金額の比較の際に、前記クレジットカードの有効期限内チェック及び／又はネガチェックを行う、
ことを特徴とする請求項６に記載の決済システム。
【請求項８】
前記決済媒体は、前記決済媒体の証明書機能を備える、
ことを特徴とする請求項１から請求項５のいずれかに記載の決済システム。
【請求項９】
前記クレジットカードには、ハウスカード、デビットカードも含む、
ことを特徴とする請求項１から請求項７のいずれかに記載の決済システム。
【請求項１０】
利用者の提示する決済媒体に基づいて、前記利用者の受給資格の確認及びクレジットカード決済を行う決済システムにおいて用いる給付者センタシステムであって、
前記給付者センタシステムは、
前記決済媒体に記憶された前記利用者を識別する識別情報を読み取る決済端末から、前記保険等の受給資格の確認及びクレジットカード決済の処理のための電文を中継センタシステムを介して受信し、
前記利用者の保険等の有効性を確認する保険等有効性確認手段と、
仮給付額を算出する仮給付額算出手段と、
前記算出した仮給付額と前記利用者の給付枠の残額とに基づいて、給付額を確定する給付額確定手段と、
前記確定した給付額に基づいて前記利用者の新たな給付枠の残額を確定する給付枠算出手段と、
前記確定した給付額以外の金額をクレジットカード決済の金額として、前記クレジットカードの決済処理の電文を設定して、クレジットカード決済の処理を行うクレジットセンタシステムに送信することで、前記クレジットセンタシステムにおいて前記金額のクレジットカード決済をさせるクレジット処理要求手段と、
を有することを特徴とする給付者センタシステム。
【請求項１１】
利用者の提示する決済媒体に基づいて、前記利用者の受給資格の確認及びクレジットカード決済を行う決済システムにおいて用いる給付者センタシステムであって、
前記給付者センタシステムは、
前記決済媒体に記憶された前記利用者を識別する識別情報である保険等の契約者番号を読み取る決済端末から、前記保険等の受給資格の確認及びクレジットカード決済の処理のための電文を中継センタシステムを介して受信し、
前記保険等の契約者番号に対応するクレジットカード番号を抽出する情報抽出手段と、
前記識別情報に基づいて前記保険等の有効性を確認する保険等有効性確認手段と、
前記電文に於ける給付条件、総額の情報に基づいて、仮給付額を算出する仮給付額算出手段と、
前記利用者に対する給付枠の残額が前記算出した仮給付額以上の場合には前記仮給付額を給付額として確定し、前記利用者に対する給付枠の残額が前記算出した仮給付額より少ない場合には前記給付枠の残額を給付額として確定する給付額確定手段と、
前記確定した給付額に基づいて前記利用者に対する給付枠の残額を算出して、新たな給付枠の残額とする給付枠算出手段と、
前記電文に於ける総額から前記確定した給付額以外の金額をクレジットカード決済の金額として確定し、前記抽出したクレジットカード番号と前記クレジットカード決済の金額とを含むクレジットカード決済の電文を設定して、前記クレジットセンタシステムに送信することで、前記クレジットセンタシステムにおいて前記金額のクレジットカード決済をさせるクレジット処理要求手段と、
を有することを特徴とする給付者センタシステム。
【請求項１２】
利用者の提示する決済媒体に基づいて、前記利用者の受給資格の確認及びクレジットカード決済を行う決済システムにおいて用いる給付者センタシステムであって、
前記給付者センタシステムは、
前記決済媒体に記憶された前記利用者を識別する識別情報であるクレジットカード番号を読み取る決済端末から、前記保険等の受給資格の確認及びクレジットカード決済の処理のための電文を中継センタシステムを介して受信し、
前記クレジットカード番号に対応する保険等の契約者番号を抽出する情報抽出手段と、
前記契約者番号に基づいて前記保険等の有効性を確認する保険等有効性確認手段と、
前記電文に於ける給付条件、総額の情報に基づいて、仮給付額を算出する仮給付額算出手段と、
前記利用者に対する給付枠の残額が前記算出した仮給付額以上の場合には前記仮給付額を給付額として確定し、前記利用者に対する給付枠の残額が前記算出した仮給付額より少ない場合には前記給付枠の残額を給付額として確定する給付額確定手段と、
前記確定した給付額に基づいて前記利用者に対する給付枠の残額を算出して、新たな給付枠の残額とする給付枠算出手段と、
前記電文に於ける総額から前記確定した給付額以外の金額をクレジットカード決済の金額として確定し、前記電文に於けるクレジットカード番号と前記クレジットカード決済の金額とを含むクレジットカード決済の電文を設定して、前記クレジットセンタシステムに送信することで、前記クレジットセンタシステムにおいて前記金額のクレジットカード決済をさせるクレジット処理要求手段と、
を有することを特徴とする給付者センタシステム。
【請求項１３】
利用者の提示する決済媒体に基づいて、前記利用者の受給資格の確認及びクレジットカード決済を行う決済システムにおいて用いる給付者センタシステムであって、
前記給付者センタシステムは、
前記決済媒体に記憶された前記利用者を識別する識別情報である任意の文字数字記号列を読み取る決済端末から、前記保険等の受給資格の確認及びクレジットカード決済の処理のための電文を中継センタシステムを介して受信し、
前記任意の文字数字記号列に対応するクレジットカード番号、保険等の契約者番号を抽出する情報抽出手段と、
前記契約者番号に基づいて前記保険等の有効性を確認する保険等有効性確認手段と、
前記電文に於ける給付条件、総額の情報に基づいて、仮給付額を算出する仮給付額算出手段と、
前記利用者に対する給付枠の残額が前記算出した仮給付額以上の場合には前記仮給付額を給付額として確定し、前記利用者に対する給付枠の残額が前記算出した仮給付額より少ない場合には前記給付枠の残額を給付額として確定する給付額確定手段と、
前記確定した給付額に基づいて前記利用者に対する給付枠の残額を算出して、新たな給付枠の残額とする給付枠算出手段と、
前記電文に於ける総額から前記確定した給付額以外の金額をクレジットカード決済の金額として確定し、前記抽出したクレジットカード番号と前記クレジットカード決済の金額とを含むクレジットカード決済の電文を設定して、前記クレジットセンタシステムに送信することで、前記クレジットセンタシステムにおいて前記金額のクレジットカード決済をさせるクレジット処理要求手段と、
を有することを特徴とする給付者センタシステム。
【請求項１４】
利用者の提示する決済媒体に基づいて、前記利用者の受給資格の確認及びクレジットカード決済を行う決済システムにおいて用いる給付者センタシステムであって、
前記給付者センタシステムは、
前記決済媒体に記憶された前記利用者を識別する識別情報であるクレジットカード番号と保険等の契約者番号を読み取る決済端末から、前記保険等の受給資格の確認及びクレジットカード決済の処理のための電文を中継センタシステムを介して受信し、
前記識別情報に於ける保険等の契約者番号に基づいて前記保険等の有効性を確認する保険等有効性確認手段と、
前記電文に於ける給付条件、総額の情報に基づいて、仮給付額を算出する仮給付額算出手段と、
前記利用者に対する給付枠の残額が前記算出した仮給付額以上の場合には前記仮給付額を給付額として確定し、前記利用者に対する給付枠の残額が前記算出した仮給付額より少ない場合には前記給付枠の残額を給付額として確定する給付額確定手段と、
前記確定した給付額に基づいて前記利用者に対する給付枠の残額を算出して、新たな給付枠の残額とする給付枠算出手段と、
前記電文に於ける総額から前記確定した給付額以外の金額をクレジットカード決済の金額として確定し、前記識別情報に於けるクレジットカード番号と前記クレジットカード決済の金額とを含むクレジットカード決済の電文を設定して、前記クレジットセンタシステムに送信することで、前記クレジットセンタシステムにおいて前記金額のクレジットカード決済をさせるクレジット処理要求手段と、
を有することを特徴とする給付者センタシステム。
【請求項１５】
前記給付者センタシステムは、更に事後処理手段を有しており、
前記クレジット処理要求手段は、
前記確定したクレジットカード決済の金額と予め定められた金額とを比較し、前記クレジットカード決済の金額が前記予め定められた金額以下の場合には、クレジットカード決済の事後処理を行うための情報を前記事後処理手段に渡し、
前記クレジットカード決済の金額が前記予め定められた金額より大きい場合には、クレジットカード決済の電文を設定して前記クレジットセンタシステムに送信し、
前記事後処理手段は、
前記給付者センタシステムに於ける処理結果の電文を作成して、前記中継センタシステムを介して前記決済端末に該電文を送信し、所定のタイミングで、前記クレジット処理要求手段から受け取った情報に基づいて、クレジットカード決済の電文を作成し、前記クレジットセンタシステムに該電文を送信することで事後的にクレジットカード決済を行わせる、
ことを特徴とする請求項１０から請求項１４のいずれかに記載の給付者センタシステム。
【請求項１６】
前記クレジット処理要求手段は、
前記金額の比較の際に、前記クレジットカードの有効期限内チェック及び／又はネガチェックを行う、
ことを特徴とする請求項１５に記載の給付者センタシステム。
【発明の詳細な説明】
【技術分野】
【０００１】
本発明は、特定の互助会・共済・保険（本明細書ではこれらを総称して保険等という）に加入した者が、保険等の運営組織（本明細書ではこれらを総称して給付者という）の提供する保険等を利用する際に、その受給資格の確認及び決済処理を行う決済システムに関する。
【背景技術】
【０００２】
疾病などの状態に備えて、従前に特定の保険等に加入しておき、万が一、疾病などに罹った場合に、治療費などの全部又はその一部を、給付者から受領することが行われている。このような保険等の代表的な例としては、健康保険組合、保険会社、互助会、共済組合などの提供する人間に対する保険商品、ペットに対するペット保険などがある。
【０００３】
このような保険等を利用するためには、給付を受けることが出来る資格者であることを示す証明書（例えば保険証や会員証など）を利用者が持参した上で、予め指定された病院に赴いて治療を受け、自己負担分の治療費を支払う。そして自己負担分以外の治療費を病院が給付者に対して請求することで、病院はその残額を給付者から受領することが出来る。また場合によっては、利用者が病院で治療費全額を支払った後に、後日、診断書や領収書と共に給付者に対して自己負担分以外の給付を請求することにより、利用者が自己負担分以外の金額を受領する場合もある。
【０００４】
このような保険等のシステムについて、下記特許文献１乃至特許文献３に示す。
【０００５】
【特許文献１】特開平１０−９１６８８号公報
【特許文献２】特開２００２−７３８０２号公報
【特許文献３】特開２００４−２６７１８３号公報
【発明の開示】
【発明が解決しようとする課題】
【０００６】
上述の各発明には、保険等の例として、ペット保険の場合が示されている。ペット保険を含めて、従来のシステムでは、利用者は証明書を病院で提示することで保険等の受給資格があるかどうかを確認している。しかし証明書を提示されても、それが現在でも有効であるかどうかの確認を病院で行うことが出来ない。例えば一度ペット保険等に加入後、解約した場合、証明書自体は利用者の手元に残るので、解約後もそのまま病院に提示され、病院が当該利用者も給付の資格があると誤認する可能性がある。また受給資格がある場合でも年間の利用限度額（給付枠）を超過している場合には支払いは行われないが、病院は給付枠を確認することが出来ない。これらは病院側に過失がない場合の不正受給となるので、給付者から病院に対して相当額の支払いは行われるが、給付者は利用者に対して、不正受給分について別途請求しなければならない手間がある。
【０００７】
また利用者の支払いについても、現在は自己負担分を現金で支払う必要があり、クレジットカードを用いることが出来ない。特に治療費についてはいくらになるか事前に想像することが難しく、実際に支払いの段階になって、手元の現金が不足している場合もある。その場合には後日支払ったりしなければならない。そこで簡便に支払えるクレジットカードの導入が求められている。
【０００８】
また一部の病院ではクレジットカードによる支払いが導入されている例もあるが、これは単に決済手段としての支払いなので、病院は受給資格の確認、治療費などの全額から受給額を減算してクレジットカード決済額の算出、算出した決済額のクレジットカードによる決済処理の３つの手続を行う必要がある。つまり、病院でクレジットカードの支払いが可能であったとしても、病院で受給資格の確認が的確に行われなければ、それによって発生した不正受給は病院側に過失がある場合となる。その場合、病院は利用者の自己負担分をクレジットカードで受給することが出来るが、給付者負担部分については、給付者から病院に不正受給分について支払いが行われないので、病院は不正受給分について、利用者に請求しなければならなくなる。従ってクレジットカードの導入を行う場合においても的確な受給資格の確認が行われる必要がある。
【課題を解決するための手段】
【０００９】
そこで本発明者は、病院等の利用者に保険等の受給資格があるのか確認する処理からクレジットカードによる決済の処理までを一元化することによって、病院にとって確実に受給資格を確認できると共に、クレジットカード決済の処理とまとめて行うことを可能とする。
【００１０】
またクレジットカードの支払いと連動させることによって、仮に年間の給付枠を超過してしまう場合であっても、その超過分をクレジットカードによる支払いで行うことも可能とする。
【００１１】
第１の発明は、決済媒体を読み取る決済端末と中継センタシステムと給付者センタシステムとクレジットセンタシステムとを有する決済システムであって、前記決済端末は、前記決済媒体に記憶された識別情報を読み取り、前記保険等の受給資格の確認及びクレジットカード決済の処理を行うための電文を前記中継センタシステムに送信し、前記中継センタシステムは、前記決済端末から受信した電文の仕向先を特定し、特定した仕向先に対して前記電文を送信し、前記給付者センタシステムは、利用者の保険等の有効性を確認する保険等有効性確認手段と、仮給付額を算出する仮給付額算出手段と、前記算出した仮給付額と前記利用者の給付枠の残額とに基づいて給付額を確定する給付額確定手段と、前記確定した給付額に基づいて前記利用者の新たな給付枠の残額を確定する給付枠算出手段と、前記確定した給付額以外の金額をクレジットカード決済の金額として、前記クレジットカードの決済処理の電文を作成して前記クレジットセンタシステムに送信するクレジット処理要求手段、を有しており、前記クレジットセンタシステムは、前記利用者の与信枠を確認するカード有効性確認手段と、前記クレジットカード決済の金額に対してクレジットカードの決済処理を行うクレジット決済処理手段と、を有する決済システムである。
【００１２】
本発明のように構成することで、利用者の保険等の受給資格の確認とクレジットカード決済とを一元的に実行することが出来る。これによって、受給資格が確認できないことによる不正受給をなくすことが出来ると共に、利用者は治療費をクレジットカード決済することが出来る。
【００１３】
上述の発明において識別情報が保険等の契約者番号の場合には、決済媒体を読み取る決済端末と中継センタシステムと給付者センタシステムとクレジットセンタシステムとを有する決済システムであって、前記決済端末は、前記決済媒体に記憶された識別情報である保険等の契約者番号を読み取り、商品コード、総額の入力を受け付け、前記保険等の受給資格の確認及びクレジットカード決済の処理を行う為の前記識別情報、商品コード、総額を含む電文を前記中継センタシステムに送信し、前記中継センタシステムは、前記決済端末から受信した電文の仕向先を特定し、特定した仕向先に対して前記電文を送信し、前記給付者センタシステムは、前記保険等の契約者番号に対応するクレジットカード番号を抽出する情報抽出手段と、前記識別情報に基づいて前記保険等の有効性を確認する保険等有効性確認手段と、前記電文に於ける給付条件、総額の情報に基づいて、仮給付額を算出する仮給付額算出手段と、前記利用者に対する給付枠の残額が前記算出した仮給付額以上の場合には前記仮給付額を給付額として確定し、前記利用者に対する給付枠の残額が前記算出した仮給付額より少ない場合には前記給付枠の残額を給付額として確定する給付額確定手段と、前記確定した給付額に基づいて前記利用者に対する給付枠の残額を算出して、新たな給付枠の残額とする給付枠算出手段と、前記電文に於ける総額から前記確定した給付額以外の金額をクレジットカード決済の金額として確定し、前記抽出したクレジットカード番号と前記クレジットカード決済の金額とを含むクレジットカード決済の電文を作成して、前記クレジットセンタシステムに送信するクレジット処理要求手段と、を有しており、前記クレジットセンタシステムは、前記給付者センタシステムから受信した電文に於けるクレジットカード番号に基づいて与信枠の確認を行うカード有効性確認手段と、前記受信した電文に於けるクレジットカード決済の金額をクレジットカードの決済処理をするクレジット決済処理手段と、を有する決済システム、とすることも出来る。
【００１４】
また識別情報がクレジットカード番号の場合には、決済媒体を読み取る決済端末と中継センタシステムと給付者センタシステムとクレジットセンタシステムとを有する決済システムであって、前記決済端末は、前記決済媒体に記憶された識別情報であるクレジットカード番号を読み取り、商品コード、総額の入力を受け付け、前記保険等の受給資格の確認及びクレジットカード決済の処理を行う為の前記識別情報、商品コード、総額を含む電文を前記中継センタシステムに送信し、前記中継センタシステムは、前記決済端末から受信した電文の仕向先を特定し、特定した仕向先に対して前記電文を送信し、前記給付者センタシステムは、前記クレジットカード番号に対応する保険等の契約者番号を抽出する情報抽出手段と、前記契約者番号に基づいて前記保険等の有効性を確認する保険等有効性確認手段と、前記電文に於ける給付条件、総額の情報に基づいて、仮給付額を算出する仮給付額算出手段と、前記利用者に対する給付枠の残額が前記算出した仮給付額以上の場合には前記仮給付額を給付額として確定し、前記利用者に対する給付枠の残額が前記算出した仮給付額より少ない場合には前記給付枠の残額を給付額として確定する給付額確定手段と、前記確定した給付額に基づいて前記利用者に対する給付枠の残額を算出して、新たな給付枠の残額とする給付枠算出手段と、前記電文に於ける総額から前記確定した給付額以外の金額をクレジットカード決済の金額として確定し、前記電文に於けるクレジットカード番号と前記クレジットカード決済の金額とを含むクレジットカード決済の電文を作成して、前記クレジットセンタシステムに送信するクレジット処理要求手段と、を有しており、前記クレジットセンタシステムは、前記給付者センタシステムから受信した電文に於けるクレジットカード番号に基づいて与信枠の確認を行うカード有効性確認手段と、前記受信した電文に於けるクレジットカード決済の金額をクレジットカードの決済処理をするクレジット決済処理手段と、を有する決済システム、とすることも出来る。
【００１５】
また識別情報は保険等の契約者番号、クレジットカード番号以外の任意の文字数字記号列であってもよい。その場合には、決済媒体を読み取る決済端末と中継センタシステムと給付者センタシステムとクレジットセンタシステムとを有する決済システムであって、前記決済端末は、前記決済媒体に記憶された識別情報である任意の文字数字記号列を読み取り、商品コード、総額の入力を受け付け、前記保険等の受給資格の確認及びクレジットカード決済の処理を行う為の前記識別情報、商品コード、総額を含む電文を前記中継センタシステムに送信し、前記中継センタシステムは、前記決済端末から受信した電文の仕向先を特定し、特定した仕向先に対して前記電文を送信し、前記給付者センタシステムは、前記任意の文字数字記号列に対応するクレジットカード番号と保険等の契約者番号を抽出する情報抽出手段と、前記抽出した契約者番号に基づいて前記保険等の有効性を確認する保険等有効性確認手段と、前記電文に於ける給付条件、総額の情報に基づいて、仮給付額を算出する仮給付額算出手段と、前記利用者に対する給付枠の残額が前記算出した仮給付額以上の場合には前記仮給付額を給付額として確定し、前記利用者に対する給付枠の残額が前記算出した仮給付額より少ない場合には前記給付枠の残額を給付額として確定する給付額確定手段と、前記確定した給付額に基づいて前記利用者に対する給付枠の残額を算出して、新たな給付枠の残額とする給付枠算出手段と、前記電文に於ける総額から前記確定した給付額以外の金額をクレジットカード決済の金額として確定し、前記抽出したクレジットカード番号と前記クレジットカード決済の金額とを含むクレジットカード決済の電文を作成して、前記クレジットセンタシステムに送信するクレジット処理要求手段と、を有しており、前記クレジットセンタシステムは、前記給付者センタシステムから受信した電文に於けるクレジットカード番号に基づいて与信枠の確認を行うカード有効性確認手段と、前記受信した電文に於けるクレジットカード決済の金額をクレジットカードの決済処理をするクレジット決済処理手段と、を有する決済システム、のように構成する。
【００１６】
更に識別情報に、保険等の契約者番号とクレジットカード番号とが含まれていても良い。その場合には、決済媒体を読み取る決済端末と中継センタシステムと給付者センタシステムとクレジットセンタシステムとを有する決済システムであって、前記決済端末は、前記決済媒体に記憶された識別情報に含まれるクレジットカード番号と保険等の契約者番号とを読み取り、商品コード、総額の入力を受け付け、前記保険等の受給資格の確認及びクレジットカード決済の処理を行う為の前記識別情報、商品コード、総額を含む電文を前記中継センタシステムに送信し、前記中継センタシステムは、前記決済端末から受信した電文の仕向先を特定し、特定した仕向先に対して前記電文を送信し、前記給付者センタシステムは、前記識別情報における保険等の契約者番号に基づいて前記保険等の有効性を確認する保険等有効性確認手段と、前記電文に於ける給付条件、総額の情報に基づいて、仮給付額を算出する仮給付額算出手段と、前記利用者に対する給付枠の残額が前記算出した仮給付額以上の場合には前記仮給付額を給付額として確定し、前記利用者に対する給付枠の残額が前記算出した仮給付額より少ない場合には前記給付枠の残額を給付額として確定する給付額確定手段と、前記確定した給付額に基づいて前記利用者に対する給付枠の残額を算出して、新たな給付枠の残額とする給付枠算出手段と、前記電文に於ける総額から前記確定した給付額以外の金額をクレジットカード決済の金額として確定し、前記識別情報におけるクレジットカード番号と前記クレジットカード決済の金額とを含むクレジットカード決済の電文を設定して、前記クレジットセンタシステムに送信するクレジット処理要求手段と、を有しており、前記クレジットセンタシステムは、前記給付者センタシステムから受信した電文に於けるクレジットカード番号に基づいて有効性の確認を行うカード有効性確認手段と、前記受信した電文に於けるクレジットカード決済の金額をクレジットカードの決済処理をするクレジット決済処理手段と、を有する決済システム、のように構成する。
【００１７】
また上述の各決済システムにおいて、保険等の有効性の確認とクレジットカード決済とを一体化した上で、それらの処理タイミングをずらすように決済システムを構成しても良い。その場合、前記決済システムは、更に事後処理手段を有しており、前記クレジット処理要求手段は、前記確定したクレジットカード決済の金額と予め定められた金額とを比較し、前記クレジットカード決済の金額が前記予め定められた金額以下の場合には、クレジットカード決済の事後処理を行うための情報を前記事後処理手段に渡し、前記クレジットカード決済の金額が前記予め定められた金額より大きい場合には、クレジットカード決済の電文を設定して前記クレジットセンタシステムに送信し、前記事後処理手段は、前記給付者センタシステムに於ける処理結果の電文を作成して、前記中継センタシステムを介して前記決済端末に該電文を送信し、所定のタイミングで、前記クレジット処理要求手段から受け取った情報に基づいて、クレジットカード決済の電文を作成し、前記クレジットセンタシステムに該電文を送信することで事後的にクレジットカード決済を行わせる、決済システム、のように構成する。
【００１８】
本発明のように構成することで、予め定められた金額以下の場合にはクレジットセンタシステムへの電文送信等の処理を行わないので利用者に迅速に伝票を提示することが出来る。一方で、この場合にはクレジットカード会社が与信に対するリスクを負うことになるが、予め定められた金額より大きい場合にはリアルタイムでクレジットカード決済を行うことになるので、クレジットカード会社の与信に対するリスクを一定限度内に抑えることが出来る。
【００１９】
上述の決済システムのクレジット処理要求手段において、前記金額の比較の際に、前記クレジットカードの有効期限内チェック及び／又はネガチェックを行うように構成しても良い。
【００２０】
上述の決済システムにおいて用いる決済媒体には、証明機能を備えるように構成しても良い。
【００２１】
上述のクレジットカードには、ハウスカード、デビットカードも含むと良い。
【００２２】
また上述の決済システムにおいて用いる給付者センタシステムは、以下のように構成することも出来る。利用者の提示する決済媒体に基づいて、前記利用者の受給資格の確認及びクレジットカード決済を行う決済システムにおいて用いる給付者センタシステムであって、前記給付者センタシステムは、前記決済媒体に記憶された前記利用者を識別する識別情報を読み取る決済端末から、前記保険等の受給資格の確認及びクレジットカード決済の処理のための電文を中継センタシステムを介して受信し、前記利用者の保険等の有効性を確認する保険等有効性確認手段と、仮給付額を算出する仮給付額算出手段と、前記算出した仮給付額と前記利用者の給付枠の残額とに基づいて、給付額を確定する給付額確定手段と、前記確定した給付額に基づいて前記利用者の新たな給付枠の残額を確定する給付枠算出手段と、前記確定した給付額以外の金額をクレジットカード決済の金額として、前記クレジットカードの決済処理の電文を作成して、クレジットカード決済の処理を行うクレジットセンタシステムに送信することで、前記クレジットセンタシステムにおいて前記金額のクレジットカード決済をさせるクレジット処理要求手段と、を有することを特徴とする給付者センタシステム。
【００２３】
また上述の給付者センタシステムにおいて、識別情報が保険等の契約者番号の場合には、利用者の提示する決済媒体に基づいて、前記利用者の受給資格の確認及びクレジットカード決済を行う決済システムにおいて用いる給付者センタシステムであって、前記給付者センタシステムは、前記決済媒体に記憶された前記利用者を識別する識別情報である保険等の契約者番号を読み取る決済端末から、前記保険等の受給資格の確認及びクレジットカード決済の処理のための電文を中継センタシステムを介して受信し、前記保険等の契約者番号に対応するクレジットカード番号を抽出する情報抽出手段と、前記識別情報に基づいて前記保険等の有効性を確認する保険等有効性確認手段と、前記電文に於ける給付条件、総額の情報に基づいて、仮給付額を算出する仮給付額算出手段と、前記利用者に対する給付枠の残額が前記算出した仮給付額以上の場合には前記仮給付額を給付額として確定し、前記利用者に対する給付枠の残額が前記算出した仮給付額より少ない場合には前記給付枠の残額を給付額として確定する給付額確定手段と、前記確定した給付額に基づいて前記利用者に対する給付枠の残額を算出して、新たな給付枠の残額とする給付枠算出手段と、前記電文に於ける総額から前記確定した給付額以外の金額をクレジットカード決済の金額として確定し、前記抽出したクレジットカード番号と前記クレジットカード決済の金額とを含むクレジットカード決済の電文を作成して、前記クレジットセンタシステムに送信することで、前記クレジットセンタシステムにおいて前記金額のクレジットカード決済をさせるクレジット処理要求手段と、を有する給付者センタシステム、とのように構成することが出来る。
【００２４】
また上述の給付者センタシステムにおいて、識別情報がクレジットカード番号の場合には、利用者の提示する決済媒体に基づいて、前記利用者の受給資格の確認及びクレジットカード決済を行う決済システムにおいて用いる給付者センタシステムであって、前記給付者センタシステムは、前記決済媒体に記憶された前記利用者を識別する識別情報であるクレジットカード番号を読み取る決済端末から、前記保険等の受給資格の確認及びクレジットカード決済の処理のための電文を中継センタシステムを介して受信し、前記クレジットカード番号に対応する保険等の契約者番号を抽出する情報抽出手段と、前記契約者番号に基づいて前記保険等の有効性を確認する保険等有効性確認手段と、前記電文に於ける給付条件、総額の情報に基づいて、仮給付額を算出する仮給付額算出手段と、前記利用者に対する給付枠の残額が前記算出した仮給付額以上の場合には前記仮給付額を給付額として確定し、前記利用者に対する給付枠の残額が前記算出した仮給付額より少ない場合には前記給付枠の残額を給付額として確定する給付額確定手段と、前記確定した給付額に基づいて前記利用者に対する給付枠の残額を算出して、新たな給付枠の残額とする給付枠算出手段と、前記電文に於ける総額から前記確定した給付額以外の金額をクレジットカード決済の金額として確定し、前記電文に於けるクレジットカード番号と前記クレジットカード決済の金額とを含むクレジットカード決済の電文を作成して、前記クレジットセンタシステムに送信することで、前記クレジットセンタシステムにおいて前記金額のクレジットカード決済をさせるクレジット処理要求手段と、を有する給付者センタシステム、とのように構成することが出来る。
【００２５】
また上述の給付者センタシステムにおいて、識別情報が保険等の契約者番号、クレジットカード番号以外の任意の文字数字記号列の場合には、利用者の提示する決済媒体に基づいて、前記利用者の受給資格の確認及びクレジットカード決済を行う決済システムにおいて用いる給付者センタシステムであって、前記給付者センタシステムは、前記決済媒体に記憶された前記利用者を識別する識別情報である任意の文字数字記号列を読み取る決済端末から、前記保険等の受給資格の確認及びクレジットカード決済の処理のための電文を中継センタシステムを介して受信し、前記任意の文字数字記号列に対応するクレジットカード番号、保険等の契約者番号を抽出する情報抽出手段と、前記契約者番号に基づいて前記保険等の有効性を確認する保険等有効性確認手段と、前記電文に於ける給付条件、総額の情報に基づいて、仮給付額を算出する仮給付額算出手段と、前記利用者に対する給付枠の残額が前記算出した仮給付額以上の場合には前記仮給付額を給付額として確定し、前記利用者に対する給付枠の残額が前記算出した仮給付額より少ない場合には前記給付枠の残額を給付額として確定する給付額確定手段と、前記確定した給付額に基づいて前記利用者に対する給付枠の残額を算出して、新たな給付枠の残額とする給付枠算出手段と、前記電文に於ける総額から前記確定した給付額以外の金額をクレジットカード決済の金額として確定し、前記抽出したクレジットカード番号と前記クレジットカード決済の金額とを含むクレジットカード決済の電文を作成して、前記クレジットセンタシステムに送信することで、前記クレジットセンタシステムにおいて前記金額のクレジットカード決済をさせるクレジット処理要求手段と、を有する給付者センタシステム、とのように構成することが出来る。
【００２６】
また上述の給付者センタシステムにおいて、識別情報にクレジットカード番号と保険等の契約者番号とを含む場合には、利用者の提示する決済媒体に基づいて、前記利用者の受給資格の確認及びクレジットカード決済を行う決済システムにおいて用いる給付者センタシステムであって、前記給付者センタシステムは、前記決済媒体に記憶された前記利用者を識別する識別情報であるクレジットカード番号と保険等の契約者番号を読み取る決済端末から、前記保険等の受給資格の確認及びクレジットカード決済の処理のための電文を中継センタシステムを介して受信し、前記識別情報に於ける保険等の契約者番号に基づいて前記保険等の有効性を確認する保険等有効性確認手段と、前記電文に於ける給付条件、総額の情報に基づいて、仮給付額を算出する仮給付額算出手段と、前記利用者に対する給付枠の残額が前記算出した仮給付額以上の場合には前記仮給付額を給付額として確定し、前記利用者に対する給付枠の残額が前記算出した仮給付額より少ない場合には前記給付枠の残額を給付額として確定する給付額確定手段と、前記確定した給付額に基づいて前記利用者に対する給付枠の残額を算出して、新たな給付枠の残額とする給付枠算出手段と、前記電文に於ける総額から前記確定した給付額以外の金額をクレジットカード決済の金額として確定し、前記識別情報に於けるクレジットカード番号と前記クレジットカード決済の金額とを含むクレジットカード決済の電文を設定して、前記クレジットセンタシステムに送信することで、前記クレジットセンタシステムにおいて前記金額のクレジットカード決済をさせるクレジット処理要求手段と、を有する給付者センタシステム、とのように構成すると良い。
【００２７】
更に上述の各給付者センタシステムにおいて、保険等の有効性の確認とクレジットカード決済とを一体化した上で、それらの処理タイミングをずらすように決済システムを構成しても良い。その場合には、前記給付者センタシステムは、更に事後処理手段を有しており、前記クレジット処理要求手段は、前記確定したクレジットカード決済の金額と予め定められた金額とを比較し、前記クレジットカード決済の金額が前記予め定められた金額以下の場合には、クレジットカード決済の事後処理を行うための情報を前記事後処理手段に渡し、前記クレジットカード決済の金額が前記予め定められた金額より大きい場合には、クレジットカード決済の電文を設定して前記クレジットセンタシステムに送信し、前記事後処理手段は、前記給付者センタシステムに於ける処理結果の電文を作成して、前記中継センタシステムを介して前記決済端末に該電文を送信し、所定のタイミングで、前記クレジット処理要求手段から受け取った情報に基づいて、クレジットカード決済の電文を作成し、前記クレジットセンタシステムに該電文を送信することで事後的にクレジットカード決済を行わせる、給付者センタシステム、とのように構成すると良い。
【００２８】
本発明のように構成することで、予め定められた金額以下の場合にはクレジットセンタシステムへの電文送信等の処理を行わないので利用者に迅速に伝票を提示することが出来る。一方で、この場合にはクレジットカード会社が与信に対するリスクを負うことになるが、予め定められた金額より大きい場合にはリアルタイムでクレジットカード決済を行うことになるので、クレジットカード会社の与信に対するリスクを一定限度内に抑えることが出来る。
【００２９】
また上述の給付者センタシステムのクレジット処理要求手段において、前記金額の比較の際に、前記クレジットカードの有効期限内チェック及び／又はネガチェックを行うように構成しても良い。
【発明の効果】
【００３０】
本発明によって、病院等の利用者に保険等の受給資格があるのか確認する処理からクレジットカードによる決済の処理までを一元化するが出来るので、病院にとって確実に受給者を確認できると共に、クレジットカード決済の処理とまとめて行うことが可能となる。
【００３１】
またクレジットカードの支払いと連動させることによって、仮に年間の利用限度額を超過してしまう場合であっても、その超過分をクレジットカードによる支払いで行うことも可能となる。
【発明を実施するための最良の形態】
【００３２】
本発明の決済システム１のシステム構成の一例を図１のシステム構成図を用いて説明する。本明細書では保険等がペット保険であって、その契約者である利用者が、動物病院でペット保険を用いてクレジットカード決済を行う場合を説明する。尚、保険等は、ペット保険以外であっても良い。また利用者に対しては、保険等に加入後、図５に示すような、当該利用者が保険等の契約者であることを示す証明書機能を有する決済媒体が配布されている。この決済媒体はクレジットカード機能を有しており、証明書機能としては、その表面に契約者名、動物の名前、契約者番号、動物の種類などが印刷されている。
【００３３】
決済媒体は、磁気ストライプによる情報の記憶方式であっても良いし、ＩＣチップによる情報の記憶方式であっても良いし、後述する識別情報を記載（表示）したカードや携帯端末等であっても良いし、赤外線通信などの通信手段を用いるものであっても良い。磁気ストライプ又はＩＣチップには、決済媒体を識別する識別情報を記憶している。また識別情報を記載したカードや携帯端末等の場合には、それを担当者に提示することで、識別情報が決済端末２に入力されても良い。更に携帯端末の記憶装置に識別情報を記憶しておき、それを赤外線通信などの無線通信や所定の通信方法で決済端末２に送信するように構成しても良い。
【００３４】
この識別情報は、保険等の契約者番号（保険等の契約者を識別する情報）であっても良いし、クレジットカード番号であっても良いし、任意に取り決めた文字、数字、記号等からなる情報であっても良い。これらを総称して識別情報と呼ぶ。尚、以下の実施例１では識別情報が保険等の契約者番号の場合を、実施例２では識別情報がクレジットカード番号の場合を、実施例３では任意の文字数字記号等の場合を、実施例４では識別情報にクレジットカード番号と保険等の契約者番号を含んでいる場合を説明する。
【００３５】
決済媒体は、決済媒体読取機能を有する決済端末２によって識別情報が読み取られる。また決済端末２は、病院などの決済場所に設置されており、決済媒体を読み取り、またその決済に於ける総額、給付条件等の入力を受け付け、識別情報と併せてそれらを電文として中継センタシステム３に対して送信する。また決済処理の結果の電文を中継センタシステム３から受信して表示、伝票の印字等を行う。
【００３６】
中継センタシステム３は、決済端末２から受信した電文に基づいて、その電文の仕向先（ここでは給付者センタシステム４）を特定する。また給付者センタから決済処理の結果の電文を受信して、その電文を決済端末２に送信する。中継センタシステム３としては、通常のクレジットカード処理で経由する中継センタシステム３などが該当する。
【００３７】
給付者センタシステム４は、保険等の受給資格の確認、保険等による仮給付額の算出、給付額の確定、自己負担分のクレジットカード決済の処理の要求等の処理を行うシステムであって、情報抽出手段６と保険等有効性確認手段７と仮給付額算出手段８と給付額確定手段９と給付枠算出手段１０とクレジット処理要求手段１１とを有している。また給付者センタは、クレジットセンタシステム５にクレジットカード決済の処理のための電文を送信し、その処理結果の電文をクレジットセンタシステム５から受信して、それを中継センタに送信する。
【００３８】
クレジットセンタシステム５はクレジットカード決済を行うためのシステムであって、給付者センタシステム４から受信した電文に基づいて、クレジットカード決済の処理を行い、その処理結果の電文を給付者センタシステム４に送信する。クレジットセンタシステム５は、カード有効性確認手段１２とクレジット決済処理手段１３とを有している。
【００３９】
給付者センタシステム４の情報抽出手段６は、識別情報が保険等の契約者番号の場合、又は保険等の契約者番号を含む場合には、それに基づいてクレジットカード番号を給付者センタシステム４の記憶装置に記憶するデータベース（本明細書ではデータベースとの記載にはデータファイル等も含まれるとする）から抽出する（実施例１、実施例４）。また識別情報がクレジットカード番号の場合には、それに基づいて保険等の契約者番号を給付者センタシステム４の記憶装置に記憶するデータベースから抽出する（実施例２）。また識別情報が任意の文字数字記号等からなる情報の場合には、それに基づいてクレジットカード番号と保険等の契約者番号を給付者センタシステム４の記憶装置に記憶するデータベースから抽出する（実施例３）。
【００４０】
識別情報が保険等の契約者番号の場合の給付者センタシステム４の記憶装置に記憶するデータベースの概念図を図６（ａ）に、識別情報がクレジットカード番号の場合の給付者センタシステム４の記憶装置に記憶するデータベースの概念図を図６（ｂ）に、識別情報が任意の文字数字記号等からなる情報の場合の給付者センタシステム４の記憶装置に記憶するデータベースの概念図を図６（ｃ）に示す。
【００４１】
保険等有効性確認手段７は、保険等の契約者番号に基づいて、給付者センタシステム４の記憶装置に予め記憶する当該利用者の契約の有効期限、残っている給付枠等の情報を、それらを記憶するデータベースから取得し、当該利用者の保険等の契約が有効であるかを確認する手段である。このデータベースの概念図を図７に示す。
【００４２】
仮給付額算出手段８は、中継センタシステム３から受信した電文における給付条件、総額の情報に基づいて、当該利用者に対して本来ならば給付されるべき仮の給付額（仮給付額）を算出する手段である。
【００４３】
給付額確定手段９は、当該利用者に対して保険等で割り当てられた給付枠の残額の範囲内に、仮給付額算出手段８で算出した仮給付額が入っているかを確認し、実際に利用者に対して給付される給付額を確定する手段である。各利用者の給付枠の残額は、給付者センタシステム４の記憶装置に、データベース（図７）などにより記憶している。当該利用者の給付枠の残額が、算出した仮給付額以上の場合には、算出した仮給付額全額を給付額として確定し、算出した仮給付額より少ない場合には給付枠の残額を給付額として確定する。
【００４４】
給付枠算出手段１０は、当該利用者に対して保険等で割り当てられた給付枠の残額から、給付額確定手段９で確定した給付額を減算し、新たな給付枠の残額を算出する手段である。当該利用者の給付枠が、確定した給付額以上の場合には、確定した給付額を給付枠の残額から減算し、減算結果を新たな給付枠の残額として、給付者センタシステム４の記憶装置のデータベース（図７）などに記憶する。一方、当該利用者の給付枠が、確定した給付額より小さい場合には、給付枠の残額を０として給付者センタシステム４の記憶装置のデータベースなどに記憶する。
【００４５】
クレジット処理要求手段１１は、電文に於ける総額から給付額確定手段９で確定した給付額を減算した金額をクレジットカード決済の金額として確定し、その金額など（例えば金額の他に、クレジットカード番号、有効期限など）のクレジットカード決済に必要な情報を、クレジット決済処理の電文として設定し、その電文をクレジットセンタシステム５に送信する手段である。電文の設定は、中継センタシステム３から受信した電文の所定項目の情報を適宜変更することで行える。例えば電文に於ける保険等の契約者番号を示す項目の情報を、クレジットカード番号に変更する等により電文を設定できる。
【００４６】
電文の設定の概念図を図１２に示す。図１２（ａ）は実施例１の場合の給付者センタシステム４で受信する電文の例であり、図１２（ｅ）は実施例２の場合の給付者センタシステム４で受信する電文の例であり、図１２（ｆ）は実施例３の場合の給付者センタシステム４で受信する電文の例であり、図１２（ｇ）は実施例４の場合の給付者センタシステム４で受信する電文の例である。図１２（ａ）では電文の種類を識別する情報として保険有効性確認とクレジットカード決済を行うことを識別する情報、保険等の契約者番号、決済すべき金額の全額等の情報が含まれた電文であり、図１２（ｅ）は電文の種類を識別する情報として保険有効性確認とクレジットカード決済を行うことを識別する情報、クレジットカード番号、決済すべき金額の全額等の情報が含まれた電文であり、図１２（ｆ）は電文の種類を識別する情報として、保険有効性確認とクレジットカード決済を行うことを識別する情報、任意の文字数字記号列、決済すべき金額の全額等の情報が含まれた電文であり、図１２（ｇ）は電文の種類を識別する情報として、保険有効性確認とクレジットカード決済を行うことを識別する情報、クレジットカード番号、保険等の契約者番号、決済すべき金額の全額等の情報が含まれた電文である。
【００４７】
ここでクレジット処理要求手段１１は、図１２（ａ）に示す電文のうち、電文の種類を識別する情報の項目を、「保険有効性確認とクレジットカード決済を行うことを識別する情報」から「クレジットカード決済の識別情報」に変更し、「契約者番号」の情報の項目を「クレジットカード番号」に変更し、「決済すべき金額」の情報の項目を「クレジットカードの決済金額」に変更することで電文の設定が行える。図１２（ａ）の電文をクレジット決済処理の電文とした状態の一例が図１２（ｂ）である。新しい電文を作成する場合には、図１２（ｂ）に示すような電文を新たに作成しても良い。また、実施例２の場合には、図１２（ｅ）に示す電文のうち、電文の種類を識別する情報の項目を、「保険有効性確認とクレジットカード決済を行うことを識別する情報」から「クレジットカード決済の識別情報」に変更し、「決済すべき金額」の情報の項目を「クレジットカードの決済金額」に変更する。実施例３の場合には図１２（ｆ）に示す電文のうち、電文の種類を識別する情報の項目を、「保険有効性確認とクレジットカード決済を行うことを識別する情報」から「クレジットカード決済の識別情報」に変更し、「任意の文字数字記号列」の情報の項目を「クレジットカード番号」に変更し、「決済すべき金額」の情報の項目を「クレジットカードの決済金額」に変更する。図１２（ｇ）に示す電文のうち、電文の種類を識別する情報の項目を、「保険有効性確認とクレジットカード決済を行うことを識別する情報」から「クレジットカード決済の識別情報」に変更し、「決済すべき金額」の情報の項目を「クレジットカードの決済金額」に変更し、「契約者番号」についてはそのまま、或いは削除するようにしても良い。尚、ここで説明した電文は、あくまでも一例であり、電文に組み込む情報は任意に設定できるので、他の電文フォーマットであっても良い。また電文の設定とは、上述のように電文に於ける各項目の情報を適宜変更することであっても良いし、新たにクレジットカード決済用の電文を作成する場合も含まれる。
【００４８】
尚、このようにして設定されたクレジットカード決済の電文（図１２（ｂ））に基づいてクレジットセンタシステム５で処理が行われ、クレジットセンタシステム５からは図１２（ｃ）のようなクレジット回答を示す電文を受信する（後述）。そして給付者センタシステムは図１２（ｃ）のクレジット回答を示す電文と保険等の有効性確認の結果とを組み合わせた、図１２（ｄ）に示すような複合電文を作成してそれを中継センタシステム３を介して決済端末２に送信するように構成する。
【００４９】
クレジットセンタシステム５のカード有効性確認手段１２は、給付者センタシステム４から受信した電文に於けるクレジットカード番号に基づいて、クレジットセンタシステム５の記憶装置に記憶する当該利用者のクレジットカードが有効であるかどうかを確認する手段である。有効性の確認には、与信枠の確認、有効期限の確認がある。通常は両方行うことが好ましいが、いずれか一方のみであっても良い。
【００５０】
クレジット決済処理手段１３は、カード有効性確認手段１２で当該利用者のクレジットカード等の有効性を確認できた場合、給付者センタシステム４から受信した電文に於けるクレジットカードによる支払い分の金額をクレジット決済処理する手段である。クレジット決済処理を行うには、クレジットセンタシステム５の記憶装置に予め記憶している当該クレジットカード番号に対する決済金額に、今回の支払い分の金額を加算すればよい。
【００５１】
尚、本明細書においては、決済手段の代表的な一例としてクレジットカードの場合を例示したが、ある特定点でのみ使用可能なハウスカード、デビットカード（預貯金決済）などを用いても良い。クレジットカードとの記載には上述も含まれる。
【実施例１】
【００５２】
次に本発明の処理プロセスの一例を図２のフローチャート、図１のシステム構成図を用いて説明する。まず決済媒体に記憶された識別情報が、保険等の契約者番号である場合を説明する。
【００５３】
利用者は、図５に示す保険等の証明書機能を有する決済媒体を持って病院に赴き、治療を受ける。そして治療終了後、料金を支払う際に決済媒体を病院に提示する（Ｓ１００）。
【００５４】
病院の担当者は、決済媒体を利用者から受け取り、決済端末２に読み取らせる（Ｓ１１０）。この際に決済端末２は、決済媒体の磁気ストライプ或いはＩＣチップに記録された識別情報（保険等の契約者番号）を読み取る。尚、読み取りの方法としては、決済媒体として識別情報が記載されたカードや携帯端末を用いる場合には、それを担当者に渡し、担当者が決済端末２に識別情報を入力しても良い。また他の読み取りの方法としては、携帯端末などの記憶装置に識別情報を記憶させ、決済端末２と無線通信することにより識別情報を、携帯端末などから決済端末２に所定の通信方式により送信することとしても良い。
【００５５】
また病院の担当者は、決済端末２に給付条件やその治療の内容を示す商品コードと、治療費等の治療に要した費用の総額（本来ならば利用者が支払うべき費用の総額）を入力し、その入力を決済端末２で受け付ける（Ｓ１２０、Ｓ１３０）。給付条件として入力される治療の内容として、病気や負傷の種類、入院、通院、手術の区別等があり、それらは商品コードとしてコード化されている。
【００５６】
この入力後、病院の担当者が決済端末２に所定の操作を行うことによって、決済端末２は、識別情報、商品コード、総額を含んだ電文を作成し、それを証明書の有効性の確認及びクレジットカード決済の要求として、中継センタシステム３に送信する（Ｓ１４０）。従ってこの電文には、この要求を示すコードが含まれている。
【００５７】
中継センタシステム３は、決済端末２から受信した電文に基づいて、その電文の仕向先を特定して（Ｓ１５０）、特定した仕向先（給付者センタシステム４）に電文を送信する（Ｓ１６０）。仕向先の特定は、電文に於ける識別番号に基づいて特定しても良いし、電文に仕向先を特定する情報を含めておき、それに基づいて特定しても良い。
【００５８】
中継センタシステム３からの電文を給付者センタシステム４で受信すると、電文に含まれる証明書の有効性の確認及びクレジットカード決済の要求を示すコードを認識することで、これらの処理を行うことを認識する。そして給付者センタシステム４の情報抽出手段６は、受信した電文に於ける識別情報に基づいて、クレジットカード番号の情報を抽出する（Ｓ１７０）。本実施例では識別情報が保険等の契約者番号なので、図６（ａ）に示すような給付者センタシステム４の記憶装置に記憶するデータベースから当該契約者番号に対応するクレジットカード番号を抽出する。
【００５９】
また給付者センタシステム４の保険等有効性確認手段７は、中継センタシステム３から受信した電文に於ける識別情報（契約者番号）に基づいて、給付者センタシステム４の記憶装置に記憶する保険等の契約に関する情報を記憶したデータベースから、当該保険等の契約の有効性を確認する（Ｓ１８０）。有効性の確認には、契約が存在するか、有効期限内にあるか、給付枠の残額があるかなどを確認する。有効と確認した場合には次の処理を行い、無効と確認した場合には中継センタシステム３を介して、証明書が無効であることを示す電文を決済端末２に送信する。尚、無効と確認した場合、上述の他にも、全額をクレジットカード決済の金額とすることを決定して、次の処理を行うこととしても良い。
【００６０】
有効と確認された場合、仮給付額算出手段８は、中継センタシステム３から受信した電文に於ける給付条件、総額の情報に基づいて、仮給付額を算出する（Ｓ１９０）。例えば、総額が１５，０００円で、給付条件が骨折の手術を示す商品コードであって、保険等の契約において骨折の手術では治療費の半額を給付する契約の場合、１５，０００円の半額、即ち、７，５００円を仮給付額として算出する。尚、給付条件に基づく給付額は、給付者センタシステム４の記憶装置に記憶する保険等の契約条件、各条件に応じた支払い割合を記憶するデータベースに基づいて行い、電文に於ける給付条件の商品コードに基づいて給付割合を抽出し、それに総額を演算（加減算、乗除算等）することで算出できる。尚、Ｓ１８０の有効性の確認の結果、無効であっても、全額をクレジットカード決済とすることを決定した場合には、給付額を０として確定し、Ｓ１９０〜Ｓ２３０の処理を行わずに、Ｓ２４０以降の処理を行うこととしても良い。
【００６１】
仮給付額の算出後、給付額確定手段９は、当該利用者に対して保険等で割り当てられた給付枠の残額の範囲内に、当該仮給付額が入っているかを、給付者センタシステム４の記憶装置に記憶するデータベース（図７）などにより確認する（Ｓ２００）。そして当該利用者の給付枠の残額が、Ｓ１９０で算出した仮給付額以上の場合には、算出した仮給付額全額を給付額として確定し、当該利用者の給付枠の残額がＳ１９０で算出した仮給付額より少ない場合には給付枠の残額を給付額として確定する（Ｓ２１０）。
【００６２】
このようにして給付額を確定後、給付枠算出手段１０は、当該利用者に対して保険等で割り当てられた給付枠の残額から、給付額確定手段９で確定した給付額を減算する（Ｓ２２０）。例えば給付枠の残額が、図７に示すように５３，０００円であって、確定した給付額が７，５００円の場合、５３，０００円から７，５００円を減算し、４５，５００円を新たな給付枠の残額として給付者センタシステム４の記憶装置のデータベース（図７）に記憶する。また仮に確定した給付額が５３，０００円の場合には、０円を新たな給付枠の残額として給付者センタシステム４の記憶装置のデータベース（図７）に記憶する。この場合には給付枠を全額使い切っているので、当該保険等において次回以降、給付を受けることが出来ない。
【００６３】
また給付額の確定後、クレジット処理要求手段１１は、中継センタシステム３から受信した電文に於ける総額から、給付額確定手段９で確定した給付額を減算した金額をクレジットカードによる決済の金額として確定する（Ｓ２３０）。そしてその金額と情報抽出手段６で抽出したクレジットカード番号などのクレジットカード決済に必要な情報をクレジット決済処理の電文として設定し、それをクレジットセンタシステム５に送信する（Ｓ２４０）。尚、Ｓ１８０の有効性の確認において、無効であっても全額をクレジットカード決済とすることを決定した場合には、クレジット処理要求手段１１は、全額をクレジット決済の金額として確定した後、その金額やクレジットカード番号などのクレジットカード決済に必要な情報を、中継センタシステム３から受信した電文の所定項目に設定し、その電文をクレジットセンタシステム５に送信する。
【００６４】
給付者センタシステム４から送信されたクレジット決済処理の電文を受信したクレジットセンタシステム５は、当該電文に於けるクレジットカード番号に基づいて、クレジットカード決済が有効か、カード有効性確認手段１２で確認する（Ｓ２５０）。有効性の確認は、クレジットセンタシステム５の記憶装置に記憶しているクレジットカード番号と残りの与信枠や有効期限等を記録するデータベースに基づいて行うと良い。このデータベースの一例を図８に示す。
【００６５】
有効性がない、即ち無効の場合には、給付者センタシステム４に対して保険等は有効であるがクレジットカード処理が無効であることの電文を送信し、給付者センタシステム４は、中継センタシステム３を介して決済端末２にそれを送信する。この場合は、現金で相当額（全額から給付額を減算した金額）を病院が受領する。
【００６６】
一方、有効性がありクレジットカード決済が可能な場合には、クレジット決済処理手段１３は、電文に於けるクレジットカードによる決済の金額についてクレジット決済の処理を行う（Ｓ２６０）。例えば給付者センタシステム４の記憶装置に記憶している当該クレジットカード番号に対する決済金額に、電文の金額を加算する。これによって、クレジットカードの所定の決済時期に、利用者のクレジットカードの引き落とし口座から金額が決済される。
【００６７】
クレジット決済処理手段１３は、クレジットカードによる決済を行った後、処理を行った旨の回答電文を作成し（Ｓ２７０）、それを給付者センタシステム４に送信する（Ｓ２８０）。
【００６８】
給付者センタシステム４は、クレジットセンタシステム５から受信した回答電文に基づいて、保険等の有効性確認が完了したこと、クレジットカード決済が完了したことを示す電文（複合電文と呼ぶ）を作成し（Ｓ２９０）、複合電文を中継センタシステム３を介して決済端末２に送信する（Ｓ３００、Ｓ３１０）。
【００６９】
複合電文を受信した決済端末２では、その複合電文に基づいて、クレジットカード伝票を印字し（Ｓ３２０）、利用者は伝票の所定欄に署名する（Ｓ３３０）。これによってクレジットカードによる決済が正式に完了する。
【実施例２】
【００７０】
次に決済媒体に記憶された識別情報がクレジットカード番号である場合を、図３のフローチャート、図１のシステム構成図を用いて説明する。
【００７１】
Ｓ４００からＳ４６０までは、実施例１のＳ１００からＳ１６０までと識別情報がクレジットカード番号であることを除き同様であるので、省略する。
【００７２】
中継センタシステム３からの電文を給付者センタシステム４で受信すると、電文に含まれる証明書の有効性及びクレジットカード決済の要求を示すコードを認識することで、これらの処理を行うことを認識する。そして給付者センタシステム４の情報抽出手段６は、受信した電文に於ける識別情報に基づいて、保険等の契約者番号の情報を抽出する（Ｓ４７０）。本実施例では識別情報がクレジットカード番号なので、図６（ｂ）に示すような給付者センタシステム４の記憶装置に記憶するデータベースから当該クレジットカード番号に対応する保険等の契約者番号を抽出する。
【００７３】
また給付者センタシステム４の保険等有効性確認手段７は、情報抽出手段６で抽出した保険等の契約者番号に基づいて、給付者センタシステム４の記憶装置に記憶する保険等の契約に関する情報を記憶したデータベースから、当該保険等の契約の有効性を確認する（Ｓ４８０）。有効性の確認には、契約が存在するか、有効期限内にあるか、給付枠の残額があるかなどを確認する。有効と確認した場合には次の処理を行い、無効と確認した場合には中継センタシステム３を介して、証明書が無効であることを示す電文を決済端末２に送信する。尚、無効と確認した場合、上述の他にも、全額をクレジットカード決済の金額とすることを決定して、次の処理を行うこととしても良い。
【００７４】
有効と確認された場合、仮給付額算出手段８は、中継センタシステム３から受信した電文に於ける給付条件、総額の情報に基づいて、仮給付額を算出する（Ｓ４９０）。例えば、総額が１５，０００円で、給付条件が骨折の手術を示す商品コードであって、保険等の契約において骨折の手術では治療費の半額を給付する契約の場合、１５，０００円の半額、即ち、７，５００円を仮給付額として算出する。尚、給付条件に基づく給付額は、給付者センタシステム４の記憶装置に記憶する保険等の契約条件、各条件に応じた支払い割合を記憶したデータベースに基づいて行い、電文に於ける給付条件の商品コードに基づいて給付割合を抽出し、それに総額を演算（加減算、乗除算等）することで算出できる。尚、Ｓ４８０の有効性の確認の結果、無効であっても全額をクレジットカード決済とすることを決定した場合には、給付額を０として確定し、Ｓ４９０〜Ｓ５３０の処理を行わずにＳ５４０以降の処理を実行する。
【００７５】
仮給付額の算出後、給付額確定手段９は、当該利用者に対して保険等で割り当てられた給付枠の残額の範囲内に、当該仮給付額が入っているかを、給付者センタシステム４の記憶装置に記憶するデータベース（図７）などにより確認する（Ｓ５００）。そして当該利用者の給付枠の残額が、Ｓ４９０で算出した仮給付額以上の場合には、算出した仮給付額全額を給付額として確定し、当該利用者の給付枠の残額がＳ４９０で算出した仮給付額より少ない場合には給付枠の残額を給付額として確定する（Ｓ５１０）。
【００７６】
このようにして給付額を確定後、給付枠算出手段１０は、当該利用者に対して保険等で割り当てられた給付枠の残額から、給付額確定手段９で確定した給付額を減算する（Ｓ５２０）。例えば給付枠の残額が、図７に示すように５３，０００円であって、確定した給付額が７，５００円の場合、５３，０００円から７，５００円を減算し、４５，５００円を新たな給付枠の残額として給付者センタシステム４の記憶装置のデータベース（図７）に記憶する。また確定した給付額が５３，０００円の場合には、０円を新たな給付枠の残額として給付者センタシステム４の記憶装置のデータベース（図７）に記憶する。この場合には給付枠を全額使い切っているので、当該保険等において次回以降、給付を受けることが出来ない。
【００７７】
また給付額の確定後、クレジット処理要求手段１１は、中継センタシステム３から受信した電文に於ける総額から、給付額確定手段９で確定した給付額を減算した金額をクレジットカードによる決済の金額として確定する（Ｓ５３０）。そしてその金額と電文に於けるクレジットカード番号などのクレジットカード決済に必要な情報をクレジット決済処理の電文として作成し、それをクレジットセンタシステム５に送信する（Ｓ５４０）。尚、Ｓ４８０の有効性の確認において、無効であっても全額をクレジットカード決済することを決定した場合には、クレジット処理要求手段１１は、全額をクレジットカード決済の金額として確定した後、その金額を中継センタシステム３から受信した電文に設定し、それをクレジットセンタシステム５に送信する。
【００７８】
Ｓ５５０からＳ６３０の処理は、実施例１のＳ２５０からＳ３３０の処理と同様なので説明を省略する。以上のような処理を実行することで、識別番号がクレジットカード番号であっても実施例１と同様に処理が可能となる。
【実施例３】
【００７９】
次に決済媒体に記憶された識別情報が任意の文字数字記号等（契約者番号、クレジットカード番号以外）である場合を、図４のフローチャート、図１のシステム構成図を用いて説明する。
【００８０】
Ｓ７００からＳ７６０までは、実施例１のＳ１００からＳ１６０までと識別情報が任意の文字数字記号等であることを除き同様であるので、省略する。
【００８１】
中継センタシステム３からの電文を給付者センタシステム４で受信すると、電文に含まれる証明書の有効性及びクレジットカード決済の要求を示すコードを認識することで、これらの処理を行うことを認識する。そして給付者センタシステム４の情報抽出手段６は、受信した電文に於ける識別情報に基づいて、保険等の契約者番号、クレジットカード番号の情報を抽出する（Ｓ７７０）。本実施例では識別情報が任意の文字数字記号等なので、図６（ｃ）に示すような給付者センタシステム４の記憶装置に記憶するデータベースから当該文字数字記号等に対応する保険等の契約者番号、クレジットカード番号を抽出する。
【００８２】
また給付者センタシステム４の保険等有効性確認手段７は、情報抽出手段６で抽出した保険等の契約者番号に基づいて、給付者センタシステム４の記憶装置に記憶する保険等の契約に関する情報を記憶したデータベースから、当該保険等の契約の有効性を確認する（Ｓ７８０）。有効性の確認には、契約が存在するか、有効期限内にあるか、給付枠の残額があるかなどを確認する。有効と確認した場合には次の処理を行い、無効と確認した場合には中継センタシステム３を介して、証明書が無効であることを示す電文を決済端末２に送信する。尚、Ｓ７８０の有効性の確認の結果、無効であっても全額をクレジットカード決済とすることを決定した場合には、給付額を０として確定し、Ｓ７９０〜Ｓ８３０の処理を行わずに、Ｓ８４０以降の処理に飛ぶ。
【００８３】
有効と確認された場合、仮給付額算出手段８は、中継センタシステム３から受信した電文に於ける給付条件、総額の情報に基づいて、仮給付額を算出する（Ｓ７９０）。例えば、総額が１５，０００円で、給付条件が骨折の手術を示す商品コードであって、保険等の契約において骨折の手術では治療費の半額を給付する契約の場合、１５，０００円の半額、即ち、７，５００円を仮給付額として算出する。尚、給付条件に基づく給付額は、給付者センタシステム４の記憶装置に記憶する保険等の契約条件、各条件に応じた支払い割合を記憶したデータベースに基づいて行い、電文に於ける給付条件の商品コードに基づいて給付割合を抽出し、それに総額を演算（加減算、乗除算等）することで算出できる。
【００８４】
利用者に対して給付される仮給付額の算出後、当該利用者に対して保険等で割り当てられた給付枠の残額の範囲内に、当該仮給付額が入っているかを、給付者センタシステム４の記憶装置に記憶するデータベース（図７）などにより確認する（Ｓ８００）。そして当該利用者の給付枠の残額が、Ｓ７９０で算出した仮給付額以上の場合には、算出した仮給付額全額を給付額として確定し、当該利用者の給付枠の残額がＳ７９０で算出した仮給付額より少ない場合には給付枠の残額を給付額として確定する（Ｓ８１０）。
【００８５】
このようにして給付額を確定後、給付枠算出手段１０は、当該利用者に対して保険等で割り当てられた給付枠の残額から、給付額確定手段９で確定した給付額を減算する（Ｓ８２０）。例えば給付枠の残額が、図７に示すように５３，０００円であって、確定した給付額が７，５００円の場合、５３，０００円から７，５００円を減算し、４５，５００円を新たな給付枠の残額として給付者センタシステム４の記憶装置のデータベース（図７）に記憶する。また仮に確定した給付額が５３，０００円の場合には、０円を新たな給付枠の残額として給付者センタシステム４の記憶装置のデータベース（図７）に記憶する。この場合には給付枠を全額使い切っているので、当該保険等において次回以降、給付を受けることが出来ない。
【００８６】
また給付額の確定後、クレジット処理要求手段１１は、中継センタシステム３から受信した電文に於ける総額から、給付額確定手段９で確定した給付額を減算した金額をクレジットカードによる決済の金額として確定する（Ｓ８３０）。そしてその金額と情報抽出手段６で抽出したクレジットカード番号などのクレジットカード決済に必要な情報をクレジット決済処理の電文として作成し、それをクレジットセンタシステム５に送信する（Ｓ８４０）。尚、Ｓ７８０の有効性の確認において、無効であっても全額をクレジットカード決済とすることを決定した場合には、クレジット処理要求手段１１は、全額をクレジットカード決済の金額として確定した後、その金額やクレジットカード番号等のクレジットカード決済に必要な情報を、中継センタシステム３から受信した電文に設定し、それをクレジットセンタシステム５に送信する。
【００８７】
Ｓ８４０からＳ９３０の処理は、実施例１のＳ２５０からＳ３３０の処理と同様なので説明を省略する。以上のような処理を実行することで、識別番号が任意の文字数字記号等であっても実施例１、実施例２と同様に処理が可能となる。
【実施例４】
【００８８】
次に決済媒体に記憶された識別情報がクレジットカード番号である場合を、図９のフローチャート、図１のシステム構成図を用いて説明する。
【００８９】
Ｓ１０００からＳ１０６０までは、実施例１のＳ１００からＳ１６０までと識別情報がクレジットカード番号と保険等の契約者番号を含んでいることを除き同様であるので、省略する。尚、本実施例の場合には識別情報にクレジットカード番号と保険等の契約者番号を含んでいるので、情報抽出手段６は設けずとも良い。
【００９０】
中継センタシステム３からの電文を給付者センタシステム４で受信すると、電文に含まれる証明書の有効性及びクレジットカード決済の要求を示すコードを認識することで、これらの処理を行うことを認識する。
【００９１】
また給付者センタシステム４の保険等有効性確認手段７は、識別情報に含まれる保険等の契約者番号に基づいて、給付者センタシステム４の記憶装置に記憶する保険等の契約に関する情報を記憶したデータベースから、当該保険等の契約の有効性を確認する（Ｓ１０７０）。有効性の確認には、契約が存在するか、有効期限内にあるか、給付枠の残額があるかなどを確認する。有効と確認した場合には次の処理を行い、無効と確認した場合には中継センタシステム３を介して、証明書が無効であることを示す電文を決済端末２に送信する。尚、無効と確認した場合、上述の他にも、全額をクレジットカード決済の金額とすることを決定して、次の処理を行うこととしても良い。
【００９２】
有効と確認された場合、仮給付額算出手段８は、中継センタシステム３から受信した電文に於ける給付条件、総額の情報に基づいて、仮給付額を算出する（Ｓ１０８０）。例えば、総額が１５，０００円で、給付条件が骨折の手術を示す商品コードであって、保険等の契約において骨折の手術では治療費の半額を給付する契約の場合、１５，０００円の半額、即ち、７，５００円を仮給付額として算出する。尚、給付条件に基づく給付額は、給付者センタシステム４の記憶装置に記憶する保険等の契約条件、各条件に応じた支払い割合を記憶したデータベースに基づいて行い、電文に於ける給付条件の商品コードに基づいて給付割合を抽出し、それに総額を演算（加減算、乗除算等）することで算出できる。尚、Ｓ４８０の有効性の確認の結果、無効であっても全額をクレジットカード決済とすることを決定した場合には、給付額を０として確定し、Ｓ１０８０〜Ｓ１１２０の処理を行わずにＳ１１３０以降の処理を実行する。
【００９３】
仮給付額の算出後、給付額確定手段９は、当該利用者に対して保険等で割り当てられた給付枠の残額の範囲内に、当該仮給付額が入っているかを、給付者センタシステム４の記憶装置に記憶するデータベース（図７）などにより確認する（Ｓ１０９０）。そして当該利用者の給付枠の残額が、Ｓ１０８０で算出した仮給付額以上の場合には、算出した仮給付額全額を給付額として確定し、当該利用者の給付枠の残額がＳ１０８０で算出した仮給付額より少ない場合には給付枠の残額を給付額として確定する（Ｓ１１００）。
【００９４】
このようにして給付額を確定後、給付枠算出手段１０は、当該利用者に対して保険等で割り当てられた給付枠の残額から、給付額確定手段９で確定した給付額を減算する（Ｓ１１１０）。例えば給付枠の残額が、図７に示すように５３，０００円であって、確定した給付額が７，５００円の場合、５３，０００円から７，５００円を減算し、４５，５００円を新たな給付枠の残額として給付者センタシステム４の記憶装置のデータベース（図７）に記憶する。また確定した給付額が５３，０００円の場合には、０円を新たな給付枠の残額として給付者センタシステム４の記憶装置のデータベース（図７）に記憶する。この場合には給付枠を全額使い切っているので、当該保険等において次回以降、給付を受けることが出来ない。
【００９５】
また給付額の確定後、クレジット処理要求手段１１は、中継センタシステム３から受信した電文に於ける総額から、給付額確定手段９で確定した給付額を減算した金額をクレジットカードによる決済の金額として確定する（Ｓ１１２０）。そしてその金額と電文に於けるクレジットカード番号などのクレジットカード決済に必要な情報をクレジット決済処理の電文として作成し、それをクレジットセンタシステム５に送信する（Ｓ１１３０）。尚、Ｓ１１４０の有効性の確認において、無効であっても全額をクレジットカード決済することを決定した場合には、クレジット処理要求手段１１は、全額をクレジットカード決済の金額として確定した後、その金額を中継センタシステム３から受信した電文に設定し、それをクレジットセンタシステム５に送信する。
【００９６】
Ｓ１１５０からＳ１２２０の処理は、実施例１のＳ２５０からＳ３３０の処理と同様なので説明を省略する。以上のような処理を実行することで、識別番号がクレジットカード番号であっても実施例１と同様に処理が可能となる。
【実施例５】
【００９７】
更に実施例１のＳ２４０、実施例２のＳ５４０、実施例３のＳ８４０、実施例４のＳ１１３０において、給付者センタシステム４からクレジットセンタシステム５にクレジット決済処理のための電文を送信する際に、給付者センタシステム４における処理結果を付加したままクレジットセンタシステム５にクレジット決済処理のための電文を送信することとしても良い。この場合、クレジットセンタシステム５での処理後、その処理結果を上記電文に更に付加して決済端末２に送信することとなる。
【００９８】
このような実施形態を取ることによって、クレジットセンタシステム５の処理後、実施例１〜実施例４のように給付者センタシステム４を介さずに、中継センタシステム３に電文を直接送信することが出来る。
【実施例６】
【００９９】
上述の実施例１〜実施例５では、クレジットカード決済までのリアルタイム処理の場合を説明したが、給付者センタシステム４までの処理をリアルタイム処理とし、給付者センタシステム４からクレジットセンタシステム５の処理をバッチ処理などで行う場合を説明する。このように２段階の処理とする場合には、クレジットカードによる決済金額が予め定められた金額の範囲内の場合には、このような２段階の処理とし、予め定められた金額よりも大きい金額の場合には実施例１から実施例４のような処理とすると良い。
【０１００】
本実施例の以下の説明では、実施例１を用いた場合の２段階処理を図１０のシステム構成図と図１１のフローチャートとを用いて説明するが、実施例２から実施例５の場合でも同様に実現できる。本実施例の決済システムでは、実施例１から実施例５のクレジット処理要求手段１１に加えて、事後処理手段１４を用いる。
【０１０１】
本実施例でのクレジット処理要求手段１１は、電文に於ける総額から給付額確定手段９で確定した給付額を減算した金額をクレジットカード決済の金額として確定し、クレジットカード決済の金額を予め定められた金額（例えば１万円）と比較し、予め定められた金額以下の場合には、事後処理手段１４に対してクレジットカードの事後処理を行うための情報（例えばクレジットカード番号、クレジットカードの決済の金額）を渡す。クレジットカード決済の金額が予め定められた金額より大きい場合には、実施例１から実施例５の場合と同様に、クレジットカード決済の金額など（例えば金額の他に、クレジットカード番号、有効期限など）のクレジットカード決済に必要な情報を、クレジットカード決済処理の電文として設定し、その電文をクレジットセンタシステム５に送信する。この電文の設定も実施例１から実施例５と同様である。
【０１０２】
事後処理手段１４は、クレジット処理要求手段１１から受け取った、クレジットカードの事後処理を行うための情報に基づいて、所定のタイミングでクレジットカード決済の電文を作成し、クレジットセンタシステム５に送信することで、クレジットカード処理を行わせる手段である。また事後処理手段１４は、給付者センタシステム４による処理結果、即ち保険等の給付が利用できたこと、クレジットカード決済を（事後的に）行うことの電文を作成し、中継センタシステム３を介して決済端末２に対して送信する。
【０１０３】
実施例１と同様に、決済媒体に記憶された識別情報は、保険等の契約者番号である。
【０１０４】
Ｓ１３００からＳ１４３０までは、実施例１のＳ１００からＳ２３０までと同様であるので、省略する。
【０１０５】
給付額確定手段９による給付額の確定後、クレジット処理要求手段１１は、中継センタシステム３から受信した電文に於ける総額から、給付額確定手段９で確定した給付額を減算した金額をクレジットカードによる決済の金額として確定する（Ｓ１４３０）。そしてその金額と予め定められた金額とを比較し（Ｓ１４４０）、クレジットカード決済の金額が予め定められた金額以下の場合には、事後処理手段１４に対してクレジットカードの事後処理を行うための情報を渡す。尚、Ｓ１４４０の金額の比較においては、このほかに、クレジットカードが有効期限内にあるか（有効期限内チェック）、クレジットカードが無効でないか（ネガチェック）を併せて行っても良い。尚、ネガチェックのための無効なクレジットカードの情報は、クレジットカード会社によりデータ化され、定期的に給付者センタシステム４に対して通知され、それを給付者センタシステム４で記憶しておくことで比較できる。
【０１０６】
事後処理手段１４は、給付者センタシステム４による処理結果の電文を作成し、中継センタシステム３を介して決済端末２に当該電文を送信する（Ｓ１４５０、Ｓ１４６０）。決済端末２で当該電文を受信すると所定の伝票を印字し（Ｓ１４７０）、それを病院の担当者が利用者に提示する。利用者はこの電文を受領し、必要に応じて署名を行う（Ｓ１４８０）。
【０１０７】
一方、所定のタイミング（例えば所定時刻、所定日時等）が到来すると、事後処理手段１４は、クレジット処理要求手段１１から受け取ったクレジットカードの事後処理を行うための情報に基づいて、クレジットカード決済のための所定の電文を作成し、クレジットセンタシステム５に送信する。この電文を受け取ったクレジットセンタシステム５は、通常のクレジットカード決済と同様の方法で、クレジット決済処理手段１３がクレジットカード決済を行う。
【０１０８】
Ｓ１４４０のクレジットカード決済の金額と予め定められた金額との比較の結果、クレジットカード決済の金額が予め定められた金額より大きい場合には、リアルタイム処理を行うために、実施例１から実施例５の場合と同様に、クレジットカード決済の金額など（例えば金額の他に、クレジットカード番号、有効期限など）のクレジットカード決済に必要な情報を、クレジットカード決済処理の電文として設定し、その電文をクレジットセンタシステム５に送信する（Ｓ１４９０）。
【０１０９】
Ｓ１５００〜Ｓ１５８０までの処理は、実施例１のＳ２５０〜Ｓ３３０までの処理と同様であるので説明を省略する。
【０１１０】
本実施例のような２段階の処理を行うことで、一定額以内のクレジットカード決済については、電文をクレジットセンタシステム５に送信しないので、迅速な処理を行うことが出来る。一方で一定額より大きい場合のクレジットカード決済については実施例１〜実施例５と同様に行うことで、クレジットカード会社の与信に対するリスクを一定限度に抑えることが出来る。
【産業上の利用可能性】
【０１１１】
上述の各発明によって、病院等の利用者に保険等の受給資格があるのか確認する処理からクレジットカードによる決済の処理までを一元化するが出来るので、病院にとって確実に受給者を確認できると共に、クレジットカード決済の処理とまとめて行うことが可能となる。
【０１１２】
またクレジットカードの支払いと連動させることによって、仮に年間の給付枠を超過してしまう場合であっても、その超過分をクレジットカードによる支払いで行うことも可能となる。
【図面の簡単な説明】
【０１１３】
【図１】本発明のシステム構成の一例を示すシステム構成図である。
【図２】識別情報が保険等の契約者番号の場合の処理プロセスの一例を示すフローチャートである。
【図３】識別情報がクレジットカード番号の場合の処理プロセスの一例を示すフローチャートである。
【図４】識別情報が任意の文字数字記号等の場合の処理プロセスの一例を示すフローチャートである。
【図５】証明書機能を備えた決済媒体の一例である。
【図６】識別情報と、契約者番号、クレジットカード番号との対応関係を記憶したデータベースの概念図の一例である。
【図７】保険等に関する情報を記憶したデータベースの概念図の一例である。
【図８】クレジットカード番号に対する与信枠や有効期限を記憶したデータベースの概念図の一例である。
【図９】識別情報がクレジットカード番号と保険等の契約者番号を含む場合の処理プロセスの一例を示すフローチャートである。
【図１０】２段階処理を行う場合のシステム構成の一例を示すシステム構成図である。
【図１１】２段階処理を行う場合の処理プロセスの一例を示すフローチャートである。
【図１２】電文の概念図である。
【符号の説明】
【０１１４】
１：決済システム
２：決済端末
３：中継センタシステム
４：給付者センタシステム
５：クレジットセンタシステム
６：情報抽出手段
７：保険等有効性確認手段
８：仮給付額算出手段
９：給付額確定手段
１０：給付枠算出手段
１１：クレジット処理要求手段
１２：カード有効性確認手段
１３：クレジット決済処理手段
１４：事後処理手段
【図１】
2007148668.tif 000003
【図２】
2007148668.tif 000004
【図３】
2007148668.tif 000005
【図４】
2007148668.tif 000006
【図５】
2007148668.tif 000007
【図６】
2007148668.tif 000008
【図７】
2007148668.tif 000009
【図８】
2007148668.tif 000010
【図９】
2007148668.tif 000011
【図１０】
2007148668.tif 000012
【図１１】
2007148668.tif 000013
【図１２】
2007148668.tif 000014